(57)【要約】  押された後にその原位置に各キーボタンを戻すために、同じ極性の２つのマグネット面の間で生成された反力が用いられることを特徴とするキーボード。その結果、キーボードは、ユーザのために満足な触覚のレスポンスを提供する一方で、悪環境に耐えることができる。【選択図】図３
2009519573.tif 000002
【特許請求の範囲】
【請求項１】
キーマトリックスに関連する初期位置において配置された主要な部材を含み、前記主要な部材に加えられた圧力は前記キーマトリックス上で電気的に接触するスイッチであって、
第１の磁石は、前記主要な部材の中で、またはその部材上で、またはその部材として備えられ、第２の磁石は、前記第１のおよび前記第２の磁石の磁極が互いに関係を別々に間を置いて配置され面しているように備えられ、
前記第１のおよび前記第２の磁石は、作用力が取り除かれる場合に前記初期位置へ前記主要な部材を戻すために作用する反力をその間に生成するように配置されており構成されることを特徴とするスイッチ。
【請求項２】
その中心で前記主要な部材が下方へ突き出るプランジャーによるキーキャップを含み、前記プランジャーは、前記主要な部材が単一の軸に沿った２つの方向に滑れるように動くように、滑れるように取り付けられたことを特徴とする請求項１に記載のスイッチ。
【請求項３】
前記キーマトリックスおよび前記主要な部材は、前記ベースの対向面に配置されることを特徴とする請求項２に記載のスイッチ。
【請求項４】
前記第１の磁石は、前記キーキャップへの前記プランジャーの遠位端部に配置されることを特徴とする請求項３に記載のスイッチ。
【請求項５】
前記ベースは、前記第１の磁石が前記応用の圧力を前記ベースを介して渡すことを可能にする開口で構成され、その結果として、前記キーマトリックス上で前記電気的接触をすることを特徴とする請求項４に記載のスイッチ。
【請求項６】
前記第２の磁石は、前記第１の磁石への前記キーマトリックスの対向面に配置されることを特徴とする請求項５に記載のスイッチ。
【請求項７】
前記主要な部材側面から前記キーマトリックス側面まで液体などの進入を禁じるために、前記ベースと前記キーマトリックスとの間で非浸透性の隔離層が備えられることを特徴とする請求項６に記載のスイッチ。
【請求項８】
前記キーマトリックスは弾力的に変形可能な膜を含むことを特徴とする請求項４に記載のスイッチ。
【請求項９】
前記キーマトリックスは、前記第１の磁石に比べて前記第２の磁石の後ろに配置されることを特徴とする請求項８に記載のスイッチ。
【請求項１０】
第２の磁石は、継ぎ輪によって定義されたチャネル内に滑れるようにマウントされることを特徴とする請求項９に記載のスイッチ。
【請求項１１】
前記第２の磁石への前記第１の磁石の移動を引き起こす前記主要な部材に加えられた圧力が、前記チャネル内の前記第２の磁石の移動を引き起こし、前記キーマトリックスに圧力を加え弾力的に変形し、電気的接触をするのに十分に反力をその間に生成するように、前記第２の磁石および前記キーマトリックスは配置され構成されることを特徴とする請求項１０に記載のスイッチ。
【請求項１２】
前記主要な部材に加えられた前記圧力が取り除かれる場合に、前記変形したキーマトリックスは、その初期位置へ前記第２の磁石を戻すために、作用することを特徴とする請求項１１に記載のスイッチ。
【請求項１３】
第３の磁石は、前記第３のおよび前記第２の磁石の磁極は互いに関係を別々に間を置いて配置され面しているように、前記第２の磁石への前記キーマトリックスの対向面上に備えられ、前記第３のおよび前記第２の磁石は、前記適用される圧力が取り除かれる場合に、その初期位置へ前記第２の磁石を戻すために作用する反力をその間に生成するように配置されており構成されることを特徴とする請求項１０に記載のスイッチ。
【発明の詳細な説明】
【技術分野】
【０００１】
本発明は、一般にコンピュータキーボードに関し、より具体的には、そのキーと内部回路との間の効果的なバリアを考慮する、非物理的ボタン操作を有するキーボードに関する。
【背景技術】
【０００２】
キーボードは、各スイッチの状態をモニタし、その状態の変更に一致する比感度を始めるマイクロプロセッサに接続された複数の「スイッチ」を含む。スイッチは、キーボードのユーザ面上の対応するキーボタン当たり１個のスイッチにより、キーマトリックスを形成するように整列される。キーマトリックスはそれ自身、各キーボタン下の直接的な回路の切れ目と共に、一般にプリント回路板（ＰＣＢ）または一連のキーボタンの真下に位置する膜である。そういうものとして、キーマトリックスは、埋める導体素子の導入により「閉じる」のを待機し、それにより流れる小量の電流を認める、多くのオープン回路である。マイクロプロセッサは、配列上のどのポイントでも連続性のサインのためのキーマトリックスをモニタし、当該閉回路を見つけた場合適切な信号を出力する前にキーマトリックス上のその回路の場所をその読み取り専用メモリ（ＲＯＭ）の上のキャラクタマップと比較する。
【０００３】
スイッチは、ゴムドーム（上部の内面上の炭分により）、メタルコンタクト、膜、または泡要素の使用を含む、多くの種々の方法において閉じられていることができ、それらのいくつかはここで簡単に説明されるだろう。
【０００４】
現在使用のよりポピュラなスイッチ技術の１つは、ゴムドームを利用しており、それによって各キーボタンは、その中心に硬質炭素要素を小さく柔軟なゴムドームにわたって配置する。キーボタンが押される場合、キーボタンの下側のプランジャーは、炭分をそれに応じて移動させ、そのためその下にＰＣＢ上の回路の切れ目の上に直接押し下げられ、その結果回路を埋め、ドームの最上面を下へ押す。キーがリリースされる場合、ラバードームスプリングはその原形状に後退し、それにより、その初期位置へ戻るキーを押し進める。また、それは３層膜を備えることが知られており、２層は離層によりキーマトリックスの要素がその間にあり、この場合にはカーボン接点はゴムドーム上で必要ではない。代わりに、キーが押され、ゴムドームが圧縮される場合、ドームの中心から突き出る小さなゴム「指」は、膜の３つの層を相互に押し、その場所で回路を埋める。
【０００５】
メンブレンスイッチは、個別のキーを有していないが、動作において非常に類似している。代わりに、単一のゴムシートは、キーボタンのための突起したエリアを有して利用される。これは、極端な条件に耐えることができるキーボードと、またほとんど触覚のレスポンスのないものも備える。
【０００６】
これらの具体例から、別個のトレードオフが、キーボードの触覚のレスポンスと、微細塵埃または液体とのコンタクトなどのような悪環境に耐えるその能力との間にあることを、理解することは明らかである。
【発明の開示】
【発明が解決しようとする課題】
【０００７】
そのため、本発明は、なお満足な触覚のレスポンスを提供する一方、微細塵埃のような当該悪環境に耐えることができる、または液体内に沈められることができるキーボードを提供することを目的とする。
【課題を解決するための手段】
【０００８】
本発明によれば、キーマトリックスに関連する初期位置において配置された主要な部材を含み、前記主要な部材に加えられた圧力は前記キーマトリックス上で電気的に接触するスイッチであって、第１の磁石は、前記主要な部材の中で、またはその部材上で、またはその部材として備えられ、第２の磁石は、前記第１のおよび前記第２の磁石の磁極が互いに関係を別々に間を置いて配置され面しているように備えられ、前記第１のおよび前記第２の磁石は、作用力が取り除かれる場合に前記初期位置へ前記主要な部材を戻すために作用する反力をその間に生成するように配置されており構成されることを特徴とするスイッチが備えられる。
【０００９】
したがって、上述の目的は、押された後にその原位置にキーボタンを戻すために、同じ極性の２つのマグネット面の間で生成された反力を用いることにより達成される。
【００１０】
好ましくは、主要な部材は、その中心および複数の下方へ突き出る脚体で下方へ突き出るプランジャーによるキーキャップを含み、前記下方へ突き出る脚体は、前記主要な部材が単一の軸に沿った２つの方向内に滑れるように移動できるように、複数の隣接した案内柱と協働する。
【００１１】
有益には、案内柱はベースに基づいてマウントされ、前記キーマトリックスおよび前記主要な部材が前記ベースの対向面に配置される。
【００１２】
あるいは、主要な部材が単一の軸に沿った２つの方向内に滑れるように移動してもよいように、前記主要な部材は、その中心で下方へ突き出るプランジャーによりキーキャップを含んでもよく、前記プランジャーは、前記ベースから突き出る上方へ突き出る継ぎ輪の内を滑れるように取り付けられる。
【００１３】
好ましくは、第１の磁石は、キーキャップへのプランジャーの遠位端部に配置される。
【００１４】
有益には、前記第１の磁石が前記応用の圧力を前記ベースを介して渡すことを可能にする開口で構成され、その結果として、前記キーマトリックス上で前記接触をする。第２の磁石は、好ましくは、前記第１の磁石への前記キーマトリックスの対向面に配置される。
【００１５】
好ましくは、前記主要な部材側面から前記キーマトリックス側面まで液体などの進入を禁じるために、前記ベースと前記キーマトリックスとの間で非浸透性の隔離層が備えられる。
【００１６】
有益には、前記キーマトリックスは弾力的に変形可能な膜を含み、前記キーマトリックスは、前記第１の磁石に比べて前記第２の磁石の後ろに配置される。第２の磁石は、継ぎ輪によって定義されたチャネル内に滑れるようにマウントされる。有益には、前記第２の磁石への前記第１の磁石の移動を引き起こす前記主要な部材に加えられた圧力が、前記チャネル内の前記第２の磁石の移動を引き起こし、前記キーマトリックスに圧力を加え弾力的に変形し、電気的接触をするのに十分に反力をその間に生成するように、前記第２の磁石および前記キーマトリックスは配置され構成される。好ましくは、前記主要な部材に加えられた前記圧力が取り除かれる場合に、前記変形したキーマトリックスは、その初期位置へ前記第２の磁石を戻すために、作用する。
【００１７】
好ましくは、第３の磁石は、前記第３のおよび前記第２の磁石の磁極は互いに関係を別々に間を置いて配置され面しているように、前記第２の磁石への前記キーマトリックスの対向面上に備えられ、前記第３のおよび前記第２の磁石は、前記適用される圧力が取り除かれる場合に、その初期位置へ前記第２の磁石を戻すために作用する反力をその間に生成するように配置されており構成される。
【００１８】
本発明のこれらおよび他の態様は、ここに記述された実施例からおよび参照して解明されて、明らかになる。
【発明を実施するための最良の形態】
【００１９】
添付の図面の図１を参照すると、スイッチの平面図略図が示されている。スイッチは、一般に中央でくぼんだプランジャー１３を有するキーキャップ１０を含み、使用中に、膜２４（あるいはドームスイッチ配置内のドーム部材のクラウン部）でその端部をふさぐ。４つの強剛で上方へ突き出る案内柱１２は、ベース１４から伸び、その案内柱１２は、プランジャー１３のまわりに等距離で間を置いて配置される。案内柱１２は、Ｘのアーム間で定義されている、実質的にＶ字形のガイドレールまたはグルーブと共に、一般にＸ字形の断面を有している。キーキャップ１０は、さらにその各角で下方へ突き出る脚体１７を含み、各脚体１７は一般に（丸くされた）Ｌ字型断面部を有し、そのアペックスはそれぞれの案内柱１２によって定義された、内部に面するガイドレールで協働するために配置されており構成される。
【００２０】
使用中に、ユーザがキーを押す場合、プランジャー１３は下降して、膜２４と接触し、所望された電気回路を完成させる。キーが下降するとともに、脚体１７はそれぞれのガイドレール１２に沿って下へ滑走する。キーがリリースされる場合、復帰手段（以下の実施例において、復帰手段は複数の磁石間の反力によって提供される）は、その原位置にキーキャップ１０を返し、電気回路は断ち切られる。
【００２１】
図１に示される中心線１６は、キーキャップ１０を横に二分して、図２〜７の断面図が観察される面を定義する。
【００２２】
ここで添付の図面の図２を参照すると、本発明の第１の典型的な実施例の概略断面図は、キーキャップ１０および上に記述されるような案内柱１２を有して示される。この実施例内のベース１４は、そのより下位の面を越えてプランジャー１３を通り過ぎさせるほど大規模なサイズで、プランジャー１３の下に直接位置される開口１９を有している。上述されるように、ベース１４のより下位の面の下は、３層（コンタクトへ導かれた時共同効果的に導くブリッジレベルおよび中断された回路レベル、およびその間の離層）を含む膜２４である。膜２４は、実質的にベース１４のそれと同じサイズおよび形状で、キーがある通りに等しい数のブリッジエリアを含んでいる。膜２４は、任意の永続性であるが柔軟な材料（恐らくポリエステル）から作ることができる。プリント回路は、プランジャー１３がベース１４の開口１９を介して通過する場合、膜２４をそれに従って圧縮し、中断された回路面積と接触することを上部の導電性ブリッジエリアに強いるように、スイッチング素子（回路の中断されたエリアおよびその対応する導電性ブリッジエリアを含むスイッチング素子）の間の電気素子を含む膜２４内に備えられ、その結果としてその場所で「切り替える」。
【００２３】
支柱２０内に位置しているのは、複数のより下位の磁石２２であり、それは等しい数のプランジャー磁石１８の下で同心的に配置される。より下位の磁石２２は、それらが同じ極性面（この場合には南および南）で対面するように、北２２ａおよび南２２ｂ極性を有しており、異極性の位置の中で対応するプランジャー磁石１８のそれに適応する。等しく面する磁極の２つの磁石が導かれる場合、反力が結果として生じることは、当業者によって認識されるだろう。このフォースは、磁石磁界の強度に関連し、それにより磁石の選択による対抗の所望された高さに適合することができる。
【００２４】
この典型的な実施例において、キーキャップ１０は、デフォルトによって、示された位置の中で保持される。それは、プランジャー磁石１８の南極１８ｂとより下位の磁石２２の南極２２ｂとの間で生成された反力によって、ベース１４の上のこの高さで保持される。ユーザがキーキャップ１０を押す場合、作用力は対抗する磁力より大きく、そういうものとして、キーは、脚体１７の底面がベース１４の最上面（またはその間に定義された集積点）に到達するまで垂直に下降する（この作用力が存在するある限り）。この集積点において、プランジャー１３がベース１４の開口１９を介して通過しており、その真下の膜２４と接触し、それによって、この時点で膜２４および膜２４内の導電性ブリッジエリアに根本的なプリント回路上の関連する中断されたポイントを埋めさせるために変形し、「スイッチ」を生じさせる。ユーザがキーキャップ１０から彼の指を取り外す場合、作用力は取り除かれ、磁石１８および２２の反力は、その初期位置にキーキャップ１０を戻す役目をする。手段は、案内柱１２の高さより高く上昇しないように、キーキャップ１０の脚体１７の下方部を保証するために備えられてもよい。
【００２５】
ここで添付の図面の図３を参照すると、本発明の第２の典型的な実施例によるスイッチが示されている。この実施例は、多くの点において実質的に上記の第１の典型的な実施例のそれと同じあり、構成要素は同じ参照符号によって示される。しかしながら、この場合には、隔離層２６はベース１４と膜２４の間に備えられる。隔離層２６は、キーボードの動作する容量に影響せずに、キーボードが液体内に沈められるかまたは微細塵埃または砂へのハプニングを可能にして、外部環境から物理的に電子部品を隔離する。隔離層２６は任意の非透過性材料（好ましくはゴム）から作ることができ、接触過程を援助するために一連の突部を備えてもよい。ゴムの厚さ／密度に依存して、磁石の強度は必要な反力を備えるために最適化されなければならないかもしれない。
【００２６】
ここで添付の図面の図４を参照すると、本発明の第３の典型的な実施例によるスイッチが示されている。この実施例において、直前の実施例でのように、ベース１４は開口を有していないが、単一の穿孔されていないシートから造られる。
【００２７】
ベース１４の下側から下方へ突き出ることは、格納装置（そこに配置される中間の磁石２８）を定義する継ぎ輪１５０である。中間の磁石２８は、南極２８ｂがプランジャー磁石１８の南極１８ｂを対面するように、上方へ面する南極２８ｂと、下方へ面する北極２８ａを有する。中間の磁石２８は、膜２４によってその格納装置で記憶され、それはその機能を行なうのに非常に必要な継ぎ輪１５０（キーキャップ１０への加圧に際して）によって定義された格納装置から中間の磁石２８が突き出ることを可能にするためにある程度まで変形する。
【００２８】
中間の磁石２８それ自体には、１つの平面の表面を整えた磁極（プランジャー磁石１８に対面しているどちらかの磁極）および輪郭がとられた面がある。ここで図５ａを参照すると、中間の磁石２８の北極２８ａには凸面の中心２８ａ’があり、それは下方へ突き出る。この凸面の部分２８ａ’から、磁石２８が全体に形成されてもよいが、磁石２８にわたって備えられる部材３０のような「ソックス」を含む可能性がある。下に位置する膜２４は、他のフォースがユーザによって間接的に加えられない場合に、その格納装置においてそれを保持するために磁石２８上に備えられる凸面の部分２８ａ’に対して作用する。ここで図４および５ｂを参照すると、ユーザがキーキャップ１０を押す場合、プランジャー磁石１８がその集積点（それはこの場合にはベース１４の天面である）に到達するまで、それは下方へ移動する。プランジャー磁石１８の南極１８ｂが、中間の磁石２８の南極２８ｂにより近く導かれるとともに、中間の磁石２８は前述の対抗する磁力を感じて膜２４に対して押し進められ、膜２４は磁石２８が格納装置から突き出ることを可能にするために変形する。膜２４の内は、複数の開口がある制限するレベル２４ｂであり、各開口は各中間の磁石２８の下に位置しており、それは磁石２８を通す（しかしショルダー部でない）凸面の部分２８ａ’を認めることができるほど十分に大規模である。その結果、凸面の部分２８ａ’は開口を介して（非常に）通過することができ、中断された回路レベルでプリント回路の天面と２４ｃ接触させられるブリッジレベル２４ａの下側で、導電性ブリッジエリア２４ａ’を引き起こす場合がある。ユーザがキーキャップ１０から彼の指を取り外す場合、磁石１８と２８の間の反力は、プランジャー磁石１８からの任意の反力を超え、歪んだ膜２４によって磁石２８に加えられたフォース内の結果として生じるそれらの関連するはく離とともに減退し、したがって膜２４は、スカート部１５０によって定義された格納装置内のその初期位置に中間の磁石２８を返し、その原形状に戻す。
【００２９】
膜２４によって提供される反力と復帰力が機能性を可能にする定義された振幅であることを保証するために、磁石１８、２８および膜２４を念入りに選ばなければならない。図４を再び参照して、磁石１８と２８の間のはく離がＸとして定義されるか示されるように静止してとどまるキーキャップ１０のために、膜２４によって提供される復帰力は、２つの磁石１８、２８、キーキャップ１０、脚体１７およびプランジャー１３の重量（つまり結合した質量に作用するフォース）より大きくなければならない。脚体１７と案内柱１２の間の摩擦も考慮に入れられる。しかしながら、はく離が１／２Ｘに減らされる場合、はく離Ｘの反力は、膜によって提供される復帰力以上であるべきであり、反力はキーキャップ１０が押される場合に、中間の磁石２８のフル操作を保証するために膜によって提供される復帰力よりはるかに大きくあるべきである。
【００３０】
ここで図６を参照すると、膜２４（第３の実施例内の）によって供給された復帰力が、第２の反力（中間の磁石２８とより下位の磁石２２の間で）と置換された、本発明の第４の典型的な実施例が示されている。第３の実施例のように、キーキャップ１０は、穿孔されていない非浸透性基材１４に固着される４つの案内柱１２内を滑れるようにマウントされる。プランジャー磁石１８に従った位置でのベース１４の側面の下から下方へ突き出ることは、継ぎ輪１５０（それは第３の実施例より深い格納装置を定義する）である。継ぎ輪１５０は、支柱への閉路接近において、膜２４と共に、その間に終了する。ベース磁石２２は、下へ面する中間の磁石２８のものとして中間の磁石２８で面する同じ磁極を有するために向けられ、支柱２０でまたはその支柱内に位置している。
【００３１】
ここでさらに図７ａおよび７ｂを参照すると、ユーザがキーボタン１０を押し、そのため、プランジャー１３の底部端のプランジャー磁石１８と、ベース１４（それに関連して）の向こう側の格納装置内に位置していた中間の磁石２８との間のはく離を減少させる。このはく離が減少するように、反力も増加し、その結果中間の磁石２８を下へ滑走させ、膜２４の最上面と接触させる。これは、中断された回路レベル２４ｃでプリント回路の天面とそれに従って接触させられるべきブリッジレベル２４ａの下側の導電性ブリッジエリア２４ａ’を移動させて、それにより、回路（図７ｂの中で示される）を完成する。ユーザがキーボタン１０から彼の指を取り外す場合、プランジャー中間物１８および２８の反力がより下位の中間物２２および２８の反力未満になるポイントに到達し、中間の磁石２８がそれにより格納装置（図７ａの中で示される）へ上向きの方向に戻って動くまで、プランジャー磁石１８と中間の磁石２８の間のはく離は、より大きくなる。この実施例における磁石２８は、部材３０と同様に「ソックス」なしで示されるが（部材３０が図５ａおよび５ｂ内に存在しているような「ソックス」）、これまたは他の典型的な実施例の中でそれが提供されてもよいことは、注目されるべきである。
【００３２】
以前のものに対してこの実施例の利点は、歪んだ膜２４によって製造された復帰力に依存するのではなく、第２の磁力妨害として格納装置のそのデフォルト位置に中間の磁石２８が返されるということである。時間とともに、当該方法において用いられている膜２４は、一貫した復帰力を提供する能力を下げて失い、キーボードに誤動作するためにリードして、固有の回路類を破損するかもしれないことは、可能である。これはこの実施例の中で提案された配置のケースではない。プランジャー中間物１８および２８の反力がベース中間物２２および２８の反力より大きいことを提供すると、スイッチは毎回キーボタン１０が押されるようになるだろう。ベース中間物２２および２８の反力が中間の磁石２８、プランジャー磁石１８およびキーボタン１０（およびその関連するプランジャー）の重量構成部品より大きいことを提供すると、キーボタン１０が放された後、中間の磁石２８は常にそのデフォルト位置へ戻るだろう。プランジャー中間の１８および２８の反力がプランジャー磁石１８およびキーボタン１０（およびその関連するプランジャー）の重量構成部品より大きい（はく離Ｘで）ことを提供すると、キーボタンは、常に放されて、そのデフォルト位置へ一度戻るだろう。
【００３３】
ここで図８ａ、８ｂおよび８ｃを参照すると、スイッチの略平面図、透視図および断面の描写が、本発明の第５の典型的な実施例により、それぞれ示される。スイッチは、キーキャップ１０への遠位端部でプランジャー磁石１８を収容する一般に中央でくぼんだプランジャー１３ａを有するキーキャップ１０を含む。強剛で、上方へ突き出るガイドカラー１２ａは、ベース１４から伸びて、プランジャー１３ａが滑れるように搭載される円筒状の通路１１を定義する。円筒状の通路１１は、垂直軸に関するキーキャップ１０のどんな回転も制限するために、プランジャー１３ａの上に備えられて、実質的に等しいリブであるが反対側の形状と通信し合う、多くの垂直に向けられたガイドチャネル１２０をさらに含んでいる。
【００３４】
上述されるように、ユーザはキーキャップ１０を押し、その結果ガイドカラー１２ａの内にプランジャー１３ａを下方へ移動させ、したがって、プランジャー磁石１８もその端部に取り付けられる。磁石１８は、膜２４とそれに従って接触し変形し、それによって、スイッチを生じさせる。キーキャップ１０に加えられた圧力が取り除かれる場合、プランジャー磁石１８とより下位の磁石２２との間の反力は、その初期位置へキーキャップ１０を戻すために作用する。
【００３５】
ここで図９ａ、９ｂおよび９ｃを参照すると、スイッチの略平面図、透視図および断面の描写が、本発明の第６の典型的な実施例により、それぞれ示されている。スイッチは、断面的に（図９ｃのように）観察された時、直前の実施例より短く、その周囲（図９ａから観察されるように）のまわりを動く唇弁１００を有するキーキャップ１０ａを含む。この実施例におけるベース１４は、キーキャップ１０ａの上部の面を通して突き出ることを可能にするサイズの複数の実質的に四角い開口を含んでいる。断面的に観察された時、それらがキーキャップ１０ａの最上面がそれから突き出ることを開口が可能にし、唇弁１００がその上部の「ネック」断面図１４０を通過することを可能にせず、それによって、全く開口を出ることからのキーキャップ１０ａを制限するように、キーキャップ１００ａの唇弁１００を収容するためにより深くなるにつれて、開口はポイントで広くなる。キーキャップ１０ａの下側上で提供されるものは、キーキャップ１０ａがユーザによって加えられた圧力に付帯的な場合、膜２４を変形するプランジャー磁石１８である。ちょうど上述の実施例のように、キーキャップ１０ａがプランジャー磁石１８およびより下位の磁石２２の２つのような磁極間で生成された反力によってその初期位置の方へ返される（キーキャップの上部に適用する圧力をユーザが取り除く時）。
【００３６】
磁石の数および磁石配置がそれに応じて備えられれば、第５と第６の典型的な実施例のスイッチアーキテクチャは、前の実施例のいかなる中で用いられてもよい。
【００３７】
キーボード内に、復帰力スイッチングを始動させるために磁石を用いることにより、機能性の損失なしで、外部と回路類でキーの間のはるかに効率的なバリアの範囲内で生成することが可能であることは、ここでは熟練した読者に明らかだろう。これは、最も荒く、最もほこりまみれの環境においてでさえ、機能と同様にエレクトロニクスへの損害なしで、液体内に完全にそこに沈めることができるキーボードを備える性能の結果として生じる。たとえボタンと膜の間に物理的な結合がなくても、可動磁石間の反力によってイネーブルにされた有効の触覚のレスポンスがなお存在する。
【００３８】
本発明を限定するというよりむしろ、前述の実施例が例証し、当業者が請求項において、添付された請求項によって定義されるような本発明の範囲から外れずに、多くの他の実施例を設計することができるであろうことは、注目されるべきであり、かっこ内に配置されたどんな引用符号も、請求項の限定として解釈されないものとする。用語「含むこと」および「含む」などは、任意の請求項または明細書において全体としてリストされたもの以外の要素またはステップの存在を除外しない。要素の特異なレファレンスは当該要素に、および逆もまた同様、複数のレファレンスを除外しない。本発明は、別々の別個の要素を含むハードウェアによって実施されてもよい。別々の手段を列挙するデバイス請求項において、これらの手段のいくつかのものは、ハードウェアの１つおよび同じアイテムずつ、具体的に表現されてもよい。ある手段が相互に異なる依存する請求項において詳述されるという単なる事実は、アドバンテージにこれらの手段の組み合わせを用いることができないことを示さない。
【図面の簡単な説明】
【００３９】
本実施例は、具体例のみとして、および添付の図面に関連して、ここでは記述されるだろう。
【図１】図１は、本発明の典型的な実施例によるスイッチの平面図略図である。
【図２】図２は、本発明の第１の典型的な実施例によるスイッチの概略断面の描写である。
【図３】図３は、本発明の第２の典型的な実施例によるスイッチの概略断面の描写である。
【図４】図４は、本発明の第３の典型的な実施例によるスイッチの概略断面の描写である。
【図５ａ】図５ａは、その初期位置における図４の中間の磁石の概略断面の描写である。
【図５ｂ】図５ｂは、スイッチが押される場合の、図４の中間の磁石の概略断面の描写である。
【図６】図６は、本発明の第４の典型的な実施例によるスイッチの概略断面の描写である。
【図７ａ】図７ａは、その初期位置における図６の中間の磁石およびベース磁石の概略断面の描写である。
【図７ｂ】図７ｂは、スイッチが押される場合の、図６の中間の磁石およびベース磁石の概略断面の描写である。
【図８ａ】図８ａは、本発明の第５の典型的な実施例によるスイッチの概略平面図描写である。
【図８ｂ】図８ｂは、本発明の第５の典型的な実施例によるスイッチの概略透視画法である。
【図８ｃ】図８ｃは、本発明の第５の典型的な実施例によるスイッチの概略断面の描写である。
【図９ａ】図９ａは、本発明の第６の典型的な実施例によるスイッチの概略平面図描写である。
【図９ｂ】図９ｂは、本発明の第６の典型的な実施例によるスイッチの概略透視画法である。
【図９ｃ】図９ｃは、本発明の第６の典型的な実施例によるスイッチの概略断面の描写である。
【図１】
2009519573.tif 000003
【図２】
2009519573.tif 000004
【図３】
2009519573.tif 000005
【図４】
2009519573.tif 000006
【図５ａ】
2009519573.tif 000007
【図５ｂ】
2009519573.tif 000008
【図６】
2009519573.tif 000009
【図７ａ】
2009519573.tif 000010
【図７ｂ】
2009519573.tif 000011
【図８ａ】
2009519573.tif 000012
【図８ｂ】
2009519573.tif 000013
【図８ｃ】
2009519573.tif 000014
【図９ａ】
2009519573.tif 000015
【図９ｂ】
2009519573.tif 000016
【図９ｃ】
2009519573.tif 000017
【国際調査報告】
2009519573.tif 000018
2009519573.tif 000019
2009519573.tif 000020